【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
開始側ワイヤレス局と応答側ワイヤレス局との間のファインタイミング測定（ＦＴＭ）セッションにおいてセキュリティを提供する方法であって、
安全なネットワーク上で少なくとも１つの値をネゴシエートすること、ここにおいて、前記少なくとも１つの値は、
ノンス値のランダムシーケンス、または
第１の所定の値
を備える、と、
前記開始側ワイヤレス局で、ＦＴＭ要求を送ること、ここにおいて、前記ＦＴＭ要求は、少なくとも１つのセキュリティ機能を含み、前記ＦＴＭ要求の前記少なくとも１つのセキュリティ機能は、
前記ノンス値のランダムシーケンスの少なくとも一部、または
第１の媒体アクセス制御（ＭＡＣ）アドレス
を備え、前記第１のＭＡＣアドレスの少なくとも一部は、前記第１の所定の値を備える、と、
前記開始側ワイヤレス局において、ＦＴＭフレームを受信すること、ここにおいて、前記ＦＴＭフレームは、前記少なくとも１つのセキュリティ機能に対する応答を備える、と、
前記開始側ワイヤレス局において、前記少なくとも１つのセキュリティ機能に対する前記応答の真正性を決定することと、
前記ＦＴＭセッションを完了することと
を備える、方法。
【請求項２】
前記ＦＴＭセッションを完了することは、前記少なくとも１つのセキュリティ機能に対する前記応答が真正でないとの決定に基づいて前記ＦＴＭセッションを終了させることを備える、
請求項１に記載の方法。
【請求項３】
前記少なくとも１つのセキュリティ機能に対する前記応答が真正でないとの前記決定は、前記ＦＴＭフレームが、前記ＦＴＭ要求の前記少なくとも１つのセキュリティ機能に応じた不正確な情報を含むとの決定を備える、
請求項２に記載の方法。
【請求項４】
前記ＦＴＭセッションを完了することは、前記少なくとも１つのセキュリティ機能に対する前記応答が真正であるとの決定に基づく、
請求項１に記載の方法。
【請求項５】
前記安全なネットワーク上でネゴシエートされた少なくとも１つの値は、前記ノンス値のランダムシーケンスを備え、前記ＦＴＭ要求の前記少なくとも１つのセキュリティ機能は、前記ノンス値の前記ランダムシーケンスの少なくとも一部を備える、
請求項１に記載の方法。
【請求項６】
前記ノンス値のランダムシーケンスの有効性は、時間に依存する、
請求項５に記載の方法。
【請求項７】
前記ＦＴＭ要求の前記少なくとも１つのセキュリティ機能は、前記ＦＴＭ要求のフレーム本体内のベンダ独自の情報エレメント（ＩＥ）に含まれる、
請求項１に記載の方法。
【請求項８】
前記安全なネットワーク上でネゴシエートされた前記少なくとも１つの値は、前記第１の所定の値を備え、前記ＦＴＭ要求の前記少なくとも１つのセキュリティ機能は、前記第１のＭＡＣアドレスを備える、
請求項１に記載の方法。
【請求項９】
前記ＦＴＭ要求の前記少なくとも１つのセキュリティ機能に応じた情報は、第２のＭＡＣアドレスを備え、前記第２のＭＡＣアドレスの少なくとも一部は、第２の所定の値を備える、
請求項８に記載の方法。
【請求項１０】
前記第１のＭＡＣアドレスの３バイト以下は、前記第１の所定の値を備える、
請求項８に記載の方法。
【請求項１１】
確認応答フレームを受信することと、
前記確認応答フレームにおいて受信された情報に基づいて前記ＦＴＭ要求および前記確認応答フレームの各々における経路損失の量を決定することと、
前記ＦＴＭ要求における前記経路損失の量を前記確認応答フレームにおける前記経路損失の量と比較することと、
前記ＦＴＭ要求における前記経路損失の量と前記確認応答フレームにおける前記経路損失の量とが実質的に類似していない場合、前記ＦＴＭセッションを終了させることと
をさらに備える、請求項１に記載の方法。
【請求項１２】
前記ＦＴＭ要求および前記確認応答フレームの各々における前記経路損失の量を決定することは、
前記ＦＴＭ要求の送信電力を決定することと、
前記確認応答フレームにおいて、
前記ＦＴＭ要求の受信電力、および
前記確認応答フレームの送信電力
を示すインジケーションを受信することと、
前記確認応答フレームの受信電力を決定することと、
前記ＦＴＭ要求の前記送信電力から前記ＦＴＭ要求の前記受信電力を減算することで前記ＦＴＭ要求における前記経路損失の量を決定することと、
前記確認応答フレームの前記送信電力から前記確認応答フレームの前記受信電力を減算することで前記確認応答フレームにおける前記経路損失の量を決定することと
を備える、請求項１１に記載の方法。
【請求項１３】
開始側ワイヤレス局と応答側ワイヤレス局との間のファインタイミング測定（ＦＴＭ）セッションにおいてセキュリティを提供する装置であって、
安全なネットワーク上で少なくとも１つの値をネゴシエートすること、ここにおいて、前記少なくとも１つの値は、
ノンス値のランダムシーケンス、または
第１の所定の値
を備える、と、
前記開始側ワイヤレス局で、ＦＴＭ要求を送るための手段、ここにおいて、前記ＦＴＭ要求は、少なくとも１つのセキュリティ機能を含み、前記ＦＴＭ要求の前記少なくとも１つのセキュリティ機能は、
前記ノンス値のランダムシーケンスの少なくとも一部、または
第１の媒体アクセス制御（ＭＡＣ）アドレス
を備え、前記第１のＭＡＣアドレスの少なくとも一部は、前記第１の所定の値を備える、と、
前記開始側ワイヤレス局において、ＦＴＭフレームを受信するための手段、ここにおいて、前記ＦＴＭフレームは、前記少なくとも１つのセキュリティ機能に対する応答を備える、と、
前記開始側ワイヤレス局において、前記少なくとも１つのセキュリティ機能に対する前記応答の真正性を決定するための手段と、
前記ＦＴＭセッションを完了するための手段と
を備える、装置。
【請求項１４】
前記ＦＴＭセッションを完了するための前記手段は、前記少なくとも１つのセキュリティ機能に対する前記応答が真正でないとの決定に基づいて前記ＦＴＭセッションを終了させるための手段を備える、または
前記ＦＴＭセッションを完了するための前記手段は、前記少なくとも１つのセキュリティ機能に対する前記応答が真正であると決定するための手段を備える、または
前記安全なネットワーク上で少なくとも１つの値を前記ネゴシエートするための手段は、前記ノンス値のランダムシーケンスをネゴシエートするための手段を備え、前記ＦＴＭ要求の前記少なくとも１つのセキュリティ機能は、前記ノンス値の前記ランダムシーケンスの少なくとも一部を備える、または
前記ＦＴＭ要求の前記少なくとも１つのセキュリティ機能を、前記ＦＴＭ要求のフレーム本体内のベンダ独自の情報エレメント（ＩＥ）に含ませるための手段をさらに備える、または
前記安全なネットワーク上でネゴシエートされた前記少なくとも１つの値は、前記第１の所定の値を備え、前記ＦＴＭ要求の前記少なくとも１つのセキュリティ機能は、前記第１のＭＡＣアドレスを備える、
請求項１３に記載の装置。
【請求項１５】
開始側ワイヤレス局と応答側ワイヤレス局との間のファインタイミング測定（ＦＴＭ）セッションにおいてセキュリティを提供するための命令が埋め込まれている非一時的なコンピュータ読取可能な媒体であって、前記命令は、
安全なネットワーク上で少なくとも１つの値をネゴシエートすること、ここにおいて、前記少なくとも１つの値は、
ノンス値のランダムシーケンス、または
第１の所定の値
を備える、と、
前記開始側ワイヤレス局で、ＦＴＭ要求を送ること、ここにおいて、前記ＦＴＭ要求は、少なくとも１つのセキュリティ機能を含み、前記ＦＴＭ要求の前記少なくとも１つのセキュリティ機能は、
前記ノンス値のランダムシーケンスの少なくとも一部、または
第１の媒体アクセス制御（ＭＡＣ）アドレス
を備え、前記第１のＭＡＣアドレスの少なくとも一部は、前記第１の所定の値を備える、と、
前記開始側ワイヤレス局において、ＦＴＭフレームを受信すること、ここにおいて、前記ＦＴＭフレームは、前記少なくとも１つのセキュリティ機能に対する応答を備える、と、
前記開始側ワイヤレス局において、前記少なくとも１つのセキュリティ機能に対する前記応答の真正性を決定することと、
前記ＦＴＭセッションを完了することと
を行うためのコンピュータコードを備える、非一時的なコンピュータ読取可能な媒体。